(57)【要約】  【課題】  一の透過型スクリーンに、複数の入力映像の偏りない映像部分を表示する。  【解決手段】  略長方形の入力された映像Ａ０，Ｂ０から映像Ａ０，Ｂ０より狭小な略長方形の一の映像部分を夫々抽出し、各映像Ａ０，Ｂ０から抽出した映像部分を並置した映像の投射光を、透過型のスクリーン２及び該スクリーン２を支持する枠部へ投射するようにしてあるリアプロジェクタに、映像Ａ０から水平方向左側に偏倚した映像部分Ａ１と、映像Ｂ０から水平方向右側に偏倚した映像部分Ｂ１とを抽出し、抽出した映像部分Ａ１及び映像部分Ｂ１を、水平方向左側及び右側に並置した映像ＡＢを生成する映像信号処理部を備え、映像信号処理部が生成した映像ＡＢの投射光をスクリーン２及び枠部に投射するように構成する。【選択図】        図５
2007068112.tif 000002
【特許請求の範囲】
【請求項１】
複数の略長方形の入力映像から該入力映像より狭小な略長方形の一の映像部分を夫々抽出し、各入力映像から抽出した複数の映像部分を並置した映像の投射光を、透過型のスクリーンへ該スクリーンからはみ出るように投射するリアプロジェクタにおいて、
入力映像毎に入力映像の中央から偏倚した映像部分を抽出する抽出手段と、
該抽出手段が抽出した複数の映像部分を、各映像部分の入力映像に対する偏倚方向へ寄せて並置した映像を生成する生成手段と、
該生成手段が生成した映像の投射光を前記スクリーンへ投射する手段と
を備えることを特徴とするリアプロジェクタ。
【請求項２】
前記抽出手段は、
入力映像の中央から水平方向（又は垂直方向）に偏倚した映像部分を抽出する手段を備え、
前記生成手段は、
複数の映像部分を水平方向（又は垂直方向）に並置した映像を生成する手段を備える
ことを特徴とする請求項１に記載のリアプロジェクタ。
【請求項３】
前記抽出手段は、
一の入力映像から水平方向一端寄りの映像部分を抽出する手段と、
他の入力映像から水平方向他端寄りの映像部分を抽出する手段と
を備え、
前記生成手段は、
前記一の入力映像から抽出された映像部分を水平方向一端寄りに、前記他の入力映像から抽出された映像部分を水平方向他端寄りに並置した映像を生成する手段を備える
ことを特徴とする請求項１に記載のリアプロジェクタ。
【請求項４】
放送信号を受信して入力映像を取得するチューナを備える
ことを特徴とする請求項１乃至請求項３のいずれか一つに記載のリアプロジェクタ。
【発明の詳細な説明】
【技術分野】
【０００１】
本発明は、複数の入力映像を並置した映像を、筐体が有する透過型のスクリーンへ、該筐体の内部から投射するリアプロジェクタに関する。
【背景技術】
【０００２】
リアプロジェクタは、透過型のスクリーン、及び該スクリーンを支持する枠部を有する筐体を備えていて、筐体は、入力映像を表示する投射光を背面側からスクリーンへ投射する投射装置を内部に収容している。また、リアプロジェクタは、２つの入力映像を水平方向に並置して表示する２画面表示機能を有している。
【０００３】
リアプロジェクタは、一の入力映像をスクリーンに表示する場合、入力映像の端部が表示されて、画質が悪化することを防ぐために、入力映像の内側の映像部分がスクリーンに表示されるように構成されている。例えば、入力映像の水平方向及び垂直方向約９５パーセントを占める映像部分、つまり、水平方向及び垂直方向両端部２．５パーセントを除いた映像部分がスクリーンに表示されるように構成されている。
【０００４】
図６は、入力映像、及びスクリーンに表示された映像を示す模式図である。
理想的には、入力映像Ｃ０の９５パーセントを占める映像部分を抽出し、抽出した映像部分の端部をスクリーンの端部に一致させるように、投射光を投射すれば良いが、光学系は製造ばらつきを有しているため、映像部分の端部をスクリーンの端部に一致させることは困難である。
そこで、実際には、図６に示すように入力映像Ｃ０から大きめに抽出した映像部分Ｃ１、例えば入力映像の９９パーセントを占める映像部分の投射光をスクリーンからはみ出るように投射することで、スクリーンに入力映像の９５パーセントを占める映像部分Ｃ２を表示する。
【０００５】
図７は、２つの入力映像、及びスクリーンに２画面表示された映像を示す模式図である。
２つの入力映像Ｄ０，Ｅ０を２画面表示する場合も同様にして、各入力映像Ｄ０，Ｅ０から映像部分Ｄ１，Ｅ１を抽出して、各映像部分Ｄ１，Ｅ１を水平方向に並置した映像ＤＥを生成し、生成した映像ＤＥの投射光をスクリーンからはみ出るように投射する。
【特許文献１】特開２００１−２０３９５５号公報
【発明の開示】
【発明が解決しようとする課題】
【０００６】
しかしながら、従来のリアプロジェクタにおいては、９５パーセントの映像部分Ｄ１，Ｅ１を抽出して２画面表示する場合、図７に示すように、各映像部分Ｄ１，Ｅ１の端部が更に枠部に隠れるため、水平方向左側に表示される映像部分Ｄ２においては、映像Ｄ０の左端が２．５パーセント以上表示されなくなり、水平方向右側に表示される映像部分Ｅ２においては、映像Ｅ０の右端が２．５パーセント以上表示されなくなる。従って、入力映像の表示すべき部分が枠部で隠れ、スクリーンに表示されない虞があるという問題があった。
９９パーセントの映像部分Ｄ１，Ｅ１を抽出して２画面表示する場合、各映像部分Ｄ１，Ｅ１の隣接部分に、入力映像Ｄ０，Ｅ０の切れ目が表示される虞があり、画質の悪化を招く虞があるという問題があった。
【０００７】
本発明は、斯かる事情に鑑みてなされたものであり、その目的は、入力映像の中央から偏倚した映像部分を抽出し、抽出した複数の映像部分を、各映像部分の入力映像に対する偏倚方向へ寄せて並置した映像の投射光をスクリーンへ投射するように構成することにより、複数の映像を表示する際、入力映像の切れ目が表示されることなく、しかも入力映像の表示すべき部分が枠部で隠れることもないように、各入力映像の偏りない映像部分を表示することができるリアプロジェクタを提供することにある。
【０００８】
また、本発明の他の目的は、入力映像の中央から水平方向又は垂直方向に偏倚した映像部分を抽出し、抽出した各映像部分を水平方向及び垂直方向に並置した映像の投射光をスクリーンへ投射するように構成することにより、各入力映像の偏りない映像部分を、水平方向又は垂直方向に並べてスクリーンに表示することができるリアプロジェクタを提供することにある。
【０００９】
更に、本発明の他の目的は、一の入力映像から水平方向一端寄りの映像部分を、他の入力映像から水平方向他端寄りの映像部分を抽出し、一の入力映像から抽出した映像部分を一端寄りに、他の入力映像から抽出した映像部分を他端寄りに並置した映像の投射光をスクリーンへ投射するように構成することにより、各入力映像の偏りない映像部分を、水平方向に並べて表示することができるリアプロジェクタを提供することにある。
【００１０】
更にまた、本発明の他の目的は、放送信号を受信することで入力映像を取得するチューナを備えることにより、放送信号を受信して取得した入力映像、及び他の一又は複数の入力映像の偏りない映像部分を表示することができるリアプロジェクタを提供することにある。
【課題を解決するための手段】
【００１１】
本発明に係るリアプロジェクタは、複数の略長方形の入力映像から該入力映像より狭小な略長方形の一の映像部分を夫々抽出し、各入力映像から抽出した複数の映像部分を並置した映像の投射光を、透過型のスクリーンへ該スクリーンからはみ出るように投射するリアプロジェクタにおいて、入力映像毎に入力映像の中央から偏倚した映像部分を抽出する抽出手段と、該抽出手段が抽出した複数の映像部分を、各映像部分の入力映像に対する偏倚方向へ寄せて並置した映像を生成する生成手段と、該生成手段が生成した映像の投射光を前記スクリーンへ投射する手段とを備えることを特徴とする。
【００１２】
本発明にあっては、抽出手段が、入力映像の中央から偏倚した映像部分を抽出する。例えば、水平方向左側に偏倚した映像部分が抽出される場合、入力映像の右端が左端に比べて大きく除かれた映像部分が抽出される。同様に、水平方向右側に偏倚した映像部分が抽出される場合、入力映像の左端が右端に比べて大きく除かれた映像部分が抽出される。
そして、生成手段は、抽出した複数の映像部分を、該映像部分の入力映像に対する偏倚方向へ寄せて並置した映像を生成する。例えば、入力映像に対して水平方向左側に偏倚した映像部分を左寄りに、入力映像に対して水平方向右側に偏倚した映像部分を右寄りに並置した映像を生成する。つまり、映像部分は、入力映像の端部を大きく含む部分を外側にして並置される。
従って、生成手段が生成した映像の投射光がスクリーンへ、該スクリーンからはみ出るように投射された場合、入力映像の端部を大きく含む部分がスクリーン外へ投射され、入力映像の端部を大きく含まない部分がスクリーンの内側に投射されて、スクリーンには、各入力映像の偏りない映像部分が表示される。
【００１３】
本発明に係るリアプロジェクタは、前記抽出手段が、入力映像の中央から水平方向（又は垂直方向）に偏倚した映像部分を抽出する手段を備え、前記生成手段は、複数の映像部分を水平方向（又は垂直方向）に並置した映像を生成する手段を備えることを特徴とする。
【００１４】
本発明にあっては、抽出手段が、垂直方向上側及び下側に偏倚した映像部分を抽出する。垂直方向上側に偏倚した映像部分が抽出される場合、入力映像の下端が上端に比べて大きく除かれた映像部分が抽出される。同様に、垂直方向下側に偏倚した映像部分が抽出される場合、入力映像の上端が下端に比べて大きく除かれた映像部分が抽出される。
そして、生成手段は、入力映像に対して垂直方向上側に偏倚した映像部分を上寄りに、入力映像に対して垂直方向下側に偏倚した映像部分を下寄りに並置した映像を生成する。つまり、映像部分は、入力映像の端部を大きく含む部分を外側にして並置される。
従って、生成手段が生成した映像の投射光がスクリーンへ、該スクリーンからはみ出るように投射された場合、入力映像の端部を大きく含む部分がスクリーン外へ投射され、入力映像の端部を含まない部分がスクリーンの内側に投射され、スクリーンには入力映像の偏りない映像部分が表示される。
抽出手段が、水平方向の一端及び他端側に偏倚した映像部分を抽出し、生成手段が一端側に偏倚した映像部分を一端寄りに、他端側に偏倚した映像部分を他端寄りに並置した映像を生成する場合も、上述のように、入力映像の端部を大きく含む部分がスクリーン外へ投射され、入力映像の端部を含まない部分がスクリーンの内側に投射される。
【００１５】
本発明に係るリアプロジェクタは、前記抽出手段が、一の入力映像から水平方向一端寄りの映像部分を抽出する手段と、他の入力映像から水平方向他端寄りの映像部分を抽出する手段とを備え、前記生成手段は、前記一の入力映像から抽出された映像部分を水平方向一端寄りに、前記他の入力映像から抽出された映像部分を水平方向他端寄りに並置した映像を生成する手段を備えることを特徴とする。
【００１６】
本発明にあっては、抽出手段が、水平方向一端及び他端側に偏倚した映像部分を抽出し、生成手段が一端側に偏倚した映像部分を一端寄りに、他端側に偏倚した映像部分を他端寄りに並置した映像を生成する。
従って、上述のように、入力映像の端部を大きく含む部分がスクリーン外へ投射され、入力映像の端部を含まない部分がスクリーンの内側に投射され、スクリーンには、入力映像の偏りない映像部分が水平方向に並置されて表示される。
【００１７】
本発明に係るリアプロジェクタは、放送信号を受信して入力映像を取得するチューナを備えることを特徴とする。
【００１８】
本発明にあっては、抽出手段が、放送信号に係る入力映像と、他の一又は複数の入力映像から、夫々映像部分を抽出し、生成手段は、抽出した映像部分を並置した映像を生成する。抽出された映像部分の投射光はスクリーンへ投射され、入力映像の偏りない映像部分がスクリーンに表示される。
【発明の効果】
【００１９】
本発明によれば、複数の映像を表示する際、入力映像の切れ目が表示されることなく、しかも入力映像の表示すべき部分が枠部で隠れることもないように、各入力映像の偏りない映像部分をスクリーンに表示することができる。
【００２０】
本発明によれば、各入力映像の偏りない映像部分を、水平方向又は垂直方向に並べてスクリーンに表示することができる。
【００２１】
本発明によれば、２つの入力映像の偏りない映像部分を、水平方向に並べてスクリーンに表示することができる。
【００２２】
本発明によれば、放送信号を受信して取得した入力映像、及び他の一又は複数の入力映像の偏りない映像部分を表示することができる。
【発明を実施するための最良の形態】
【００２３】
以下、本発明をその実施の形態を示す図面に基づいて詳述する。
【００２４】
図１は、本発明の実施の形態に係るリアプロジェクタの略示側断面図、図２は、リアプロジェクタの略示正面図である。
【００２５】
図中１は、映像を表示するための透過型のスクリーン２を筐体正面部１０に配し、映像を表示する投射光を、筐体背面部１１の内側に配置された反射鏡４で反射させて、スクリーン２へ投射する投射装置３を底部に収容した筐体である。
【００２６】
筐体正面部１０は、図２に示すように略長方形であり、アスペクト比が１６／９のスクリーン２を支持する枠部１０ａを有している。また、リアプロジェクタを遠隔操作する遠隔操作装置６からの操作信号を受信する受信部５８をスクリーン２の下側に備えている。
筐体背面部１１の下部には、アンテナ端子５１ａ、コンポジット映像入力端子５１ｂ、Ｓ映像入力端子５１ｃ、コンポーネント映像入力端子５１ｄ、ＨＤＭＩ端子５１ｅ、ＤＶＩ端子５１ｆ等が設けられている（図４参照）。
【００２７】
図３は、投射装置３の模式図である。
投射装置３は、白色光を発するキセノンランプ又は超高圧水銀ランプ等の放電ランプ３０ａを備えており、放電ランプ３０ａは、放電ランプ３０ａの発光中心が回転楕円面状の鏡面を有するリフレクタ３０ｂの焦点に位置するようにリフレクタ３０ｂに対して固定されている。
【００２８】
放電ランプ３０ａの白色光は、リフレクタ３０ｂによって反射されてカラーホイール３１を透過し、ロッドインテグレータ３３に入射する。
【００２９】
カラーホイール３１は、赤・緑・青の光を夫々透過させる扇状のカラーフィルタを周方向に配しており、カラーフィルタの回転通過域に放電ランプ３０ａの投光域が位置するように配置されている。
【００３０】
カラーホイール３１の中心部には、モータ駆動部３２ｂにより回転駆動されるモータ３２ａの出力軸が接続されており、モータ駆動部３２ｂは、モータ３２ａを等速回転させる。
【００３１】
カラーホイール３１が等速回転している場合、白色光は赤色、緑色及び青色のカラーフィルタに順次的に入射し、白色光は時系列で赤・緑・青の光に色時分割される。色時分割された光は、略長方形のロッドインテグレータ３３の入射口に入射し、入射した光は、ロッドインテグレータ３３の内面で反射を繰り返して均一な光となり、出射口から照明レンズ群３４に入射する。
【００３２】
照明レンズ群３４は、コンデンサレンズ及びリレーレンズからなり、白色光をＤＭＤ３５に入射させる。ＤＭＤ３５は、画像データに係る画像の各ドットに対応付けられた複数の微小可動ミラーを備えている。図示しないＤＭＤ駆動部は、色時分割された赤・緑・青の光が、投射レンズ群３６へ又は投射レンズ群３６外へ選択的に反射するように、各微小可動ミラーを選択的に±１０度傾ける。ＤＭＤ３５に入射した光は、ＤＭＤ３５の微小可動ミラーにより光変調され、光変調された変調光は、投射レンズ群３６に入射する。
【００３３】
投射レンズ群３６は、変調光、即ち映像を拡大表示する投射光を反射鏡４へ出射し、投射光は反射鏡４で反射されてスクリーン２及び枠部１０ａへ投射される。つまり、投射光は、スクリーン２からはみ出るようにしてスクリーン２及び枠部１０ａへ投射される。
【００３４】
図４は、リアプロジェクタの構成を示すブロック図である。
アンテナ端子５１ａから入力したＲＦ信号は、デジタルチューナ５２ａ及びアナログチューナ５３ａに入力する。
デジタルチューナ５２ａは、ＲＦ信号から、特定のチャンネルの信号を選択し、選択した信号をデジタルのデータにＡＤ変換し、ＡＤ変換したデータを復調部５２ｂに与える。チャンネルの選択は、制御部５０から与えられる信号に基づいて行う。
制御部５０は、マイクロコンピュータからなり、後述のデマルチプレクサ５２ｃ、アナログチューナ５３ａ、第１乃至第３選択部５４ａ，５４ｂ，５４ｃ、映像信号処理部５７、ＤＭＤ３５等の動作を制御する。
【００３５】
デジタルチューナ５２ａから出力されたデータは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式で変調されており、復調部５２ｂは、前記データを、ＭＰＥＧ２ＴＳ形式のトランスポートストリームに復調し、復調したトランスポートストリームをデマルチプレクサ５２ｃに与える。
【００３６】
トランスポートストリームは、複数のＴＳパケットから構成されていて、複数のＴＳパケットから、ビデオストリーム及び音声ストリームが復元される。
【００３７】
デマルチプレクサ５２ｃは、トランスポートストリームから一の番組のビデオストリーム及び音声ストリームに係るＴＳパケットを選択し、選択したＴＳパケットからなるビデオストリームをデコーダ５２ｄに与える。
【００３８】
デコーダ５２ｄは、ビデオストリームを、ＭＰＥＧ２形式の圧縮伸張方式に従って復調し、復調したビデオストリーム、即ち映像信号を第１選択部５４ａに与える。
映像信号は、アスペクト比が１６／９の略長方形の映像を再現する情報を有する信号である。また、後述の各映像信号も、アスペクト比が１６／９の略長方形の映像に係る信号である。
【００３９】
アナログチューナ５３ａは、ＲＦ信号から特定のチャンネルの信号を選択し、選択した信号を検波部５３ｂに与える。検波部５３ｂは、チューナから与えられた信号から映像信号及び音声信号を検波し、検波した映像信号を第２選択部５４ｂに与える。
【００４０】
また、コンポジット映像入力端子５１ｂ及びＳ映像入力端子５１ｃに入力した映像信号は、第２選択部５４ｂに入力する。第２選択部５４ｂに入力する映像信号は、輝度信号、色信号等を含む信号である。
【００４１】
第２選択部５４ｂは、検波部５３ｂ、コンポジット映像入力端子５１ｂ及びＳ映像入力端子５１ｃから与えられた映像信号から、２つの映像信号を選択し、選択した各映像信号を夫々ＡＤＣ５５ａ，５５ｂに与える。
【００４２】
ＡＤＣ５５ａ，５５ｂは、アナログの映像信号をデジタルの映像信号に変換し、変換したデジタルの映像信号を第１選択部５４ａに与える。
【００４３】
一方、コンポーネント映像入力端子５１ｄに入力した映像信号は、第３選択部５４ｃに入力する。第３選択部５４ｃに入力する映像信号は、輝度信号、青色差信号、赤色差信号等を含む信号である。
また、ＨＤＭＩ端子５１ｅ及びＤＶＩ端子５１ｆに入力したデジタルの映像信号は、夫々ＤＡＣ５６ａ，５６ｂに入力し、ＤＡＣ５６ａ，５６ｂはデジタルの映像信号をアナログの映像信号に変換し、アナログの映像信号を第３選択部５４ｃに与える。
【００４４】
第３選択部５４ｃは、コンポーネント映像入力端子５１ｄ、ＨＤＭＩ端子５１ｅ又はＤＶＩ端子５１ｆに入力した映像信号から、１つの映像信号を選択し、選択した映像信号をＡＤＣ５５ｃに与える。
ＡＤＣ５５ｃは、第３選択部５４ｃにて選択されたアナログの映像信号をデジタルの映像信号に変換し、変換した映像信号を第１選択部５４ａに与える。
【００４５】
第１選択部５４ａは、制御部５０からの制御信号に応じて、ＡＤＣ５５ａ，５５ｂ，５５ｃ、及びデコーダ５２ｄから与えられた映像信号から、１又は２つの映像信号を選択し、選択した映像信号を映像信号処理部５７に与える。
【００４６】
映像信号処理部５７は、制御部５０からの制御信号に応じて、一の映像から、該映像の約９５パーセントの領域を占める略長方形の映像部分を抽出し、抽出した映像の映像信号をＤＭＤ３５に与える。
また、２画面表示の制御信号に応じて、２つの映像から、各映像の映像部分を抽出し、抽出した映像部分を水平方向に並置した映像の映像信号を生成して、ＤＭＤ３５に与える。
【００４７】
ＤＭＤ３５は、映像信号処理部５７から与えられた映像信号に基づいて、白色光を光変調する。光変調された変調光は、スクリーン２に投射され、映像信号処理部５７が生成した映像がスクリーン２に表示される。
【００４８】
図５は、入力した映像、及びスクリーン２に２画面表示された映像の模式図である。
図５に示すように、水平方向一端側に一の映像Ａ０を表示し、水平方向他端側に他の映像Ｂ０を表示する場合、つまり、水平方向左側に一の映像Ａ０を表示し、水平方向右側に他の映像Ｂ０を表示する場合、映像信号処理部５７は、映像Ａ０の中央から水平方向一端側に偏倚した映像部分Ａ１と、映像Ｂ０の中央から水平方向他端側に偏倚した映像部分Ｂ１とを抽出する。より具体的には、映像信号処理部５７は、映像Ａ０の水平方向一端部を０．５パーセント、他端部、及び垂直方向両端部を２．５パーセント除いた映像部分Ａ１と、映像Ｂ０の水平方向他端部を０．５パーセント、一端部、及び垂直方向両端部を２．５パーセント、除いた映像部分Ｂ１とを抽出する。
そして、映像信号処理部５７は、抽出した映像部分Ａ１及び映像部分Ｂ１を夫々縮小し、縮小した映像部分Ａ１を、垂直方向略中央部で水平方向の一端寄りに、縮小した映像部分Ｂ１を垂直方向略中央部で水平方向の他端寄りに並置した映像ＡＢを生成して、生成した映像ＡＢの映像信号をＤＭＤ３５に与える。
より具体的には、映像信号処理部５７は、映像ＡＢ中、映像部分Ａ１及び映像部分Ｂ１が中央で互いに隣接し、水平方向に丁度収まるような大きさに縮小し、各映像部分Ａ１，Ｂ１を並置した映像ＡＢを生成する。映像ＡＢ中、映像部分Ａ１，Ｂ１が並置されない映像部分は、黒色の映像である。
【００４９】
このように構成されるリアプロジェクタにあっては、図５の下図に示すように、映像部分Ａ１の一端は、映像Ａ０の一端が０．５パーセント除かれた映像であるが、更に枠部１０ａに投射されて、最終的にスクリーン２には映像Ａ０の一端約２．５パーセントを除かれた映像部分Ａ２が表示される。また、映像部分Ａ２の他端は、映像Ａ０の他端が２．５パーセント除かれた映像である。
同様に、映像部分Ｂ１の他端は、映像Ｂ０の他端が０．５パーセント除かれた映像であるが、更に枠部１０ａに投射されて、最終的にスクリーン２には映像Ｂ０の一端２．５パーセントを除かれた映像部分Ｂ２が表示される。また、映像部分Ｂ２の一端は、映像Ｂ０の一端が２．５パーセント除かれた映像である。
【００５０】
このため、スクリーン２には、映像Ａ０及びＢ０の偏りない映像部分Ａ２，Ｂ２、つまり映像Ａ０及び映像Ｂ０から水平方向及び垂直方向両端部を２．５パーセント除いた映像部分Ａ２，Ｂ２が、水平方向に並置されてスクリーン２に表示される。
【００５１】
従って、映像Ａ０，Ｂ０の切れ目が表示されて画質が悪化する虞はなく、しかも表示すべき部分が枠部１０ａで隠れることもなく、スクリーン２に映像Ａ０，Ｂ０の映像部分Ａ２，Ｂ２を偏りなく表示することができる。
【００５２】
また、アンテナ端子５１ａに入力した放送信号に係る映像信号、コンポジット映像入力端子５１ｂ、Ｓ映像入力端子５１ｃ、コンポーネント映像入力端子５１ｄ、ＨＤＭＩ端子５１ｅ、又はＤＶＩ端子５１ｆに入力した映像信号のいずれか２つの映像を水平方向に並置してスクリーン２に表示することができる。
【００５３】
なお、実施の形態にあっては、映像を水平方向に並置して表示するように構成しているが、映像を垂直方向又は斜め方向に並置して表示するように構成しても良い。
また、４つの映像を水平方向及び垂直方向に並置するように構成しても良い。
【００５４】
更に、実施の形態にあっては、ＤＭＤを備えているが、これに限らず映像を表示する投射光を生成することができる光変調素子、例えば液晶パネルを備えても良い。
【００５５】
更にまた、映像信号が入力する各種端子は、一例であり、映像信号を取得可能であれば、他の入力端子を備えても良い。
【００５６】
更にまた、実施の形態に係るリアプロジェクタは、アスペクト比が１６／９のスクリーンに、同アスペクト比の映像の映像部分を並置して表示するように構成してあるが、アスペクト比が４／３のスクリーンに、同アスペクト比の映像の映像部分を並置して表示するように構成しても良い。
【図面の簡単な説明】
【００５７】
【図１】本発明の実施の形態に係るリアプロジェクタの略示側断面図である。
【図２】リアプロジェクタの略示正面図である。
【図３】投射装置の模式図である。
【図４】リアプロジェクタの構成を示すブロック図である。
【図５】入力した映像、及びスクリーンに２画面表示された映像の模式図である。
【図６】入力映像、及びスクリーンに表示された映像を示す模式図である。
【図７】２つの入力映像、及びスクリーンに２画面表示された映像を示す模式図である。
【符号の説明】
【００５８】
１  筐体
２  スクリーン
３  投射装置
４  反射鏡
６  遠隔操作装置
１０  筐体正面部
１０ａ  枠部
１１  筐体背面部
３０ａ  放電ランプ
３０ｂ  リフレクタ
３１  カラーホイール
３２ａ  モータ
３２ｂ  モータ駆動部
３３  ロッドインテグレータ
３４  照明レンズ群
３５  ＤＭＤ
３６  投射レンズ群
５０  制御部
５１ａ  アンテナ端子
５１ｂ  コンポジット映像入力端子
５１ｃ  Ｓ映像入力端子
５１ｄ  コンポーネント映像入力端子
５１ｅ  ＨＤＭＩ端子
５１ｆ  ＤＶＩ端子
５２ａ  デジタルチューナ
５２ｂ  復調部
５２ｃ  デマルチプレクサ
５２ｄ  デコーダ
５３ａ  アナログチューナ
５３ｂ  検波部
５４ａ  第１選択部
５４ｂ  第２選択部
５４ｃ  第３選択部
５７  映像信号処理部
５８  受信部
【図１】
2007068112.tif 000003
【図２】
2007068112.tif 000004
【図３】
2007068112.tif 000005
【図４】
2007068112.tif 000006
【図５】
2007068112.tif 000007
【図６】
2007068112.tif 000008
【図７】
2007068112.tif 000009